(57)【要約】【課題】物品の搬送が停止させられて物品の質量が計量されていることをオペレータに直感的に認識させることができる計量装置を提供する。【解決手段】計量装置１は、物品Ｇを搬送する搬送部２と、搬送部２が物品Ｇを搬送する際に、物品Ｇの搬送を停止させずに物品Ｇの質量を計量する動計量、及び物品Ｇの搬送を停止させて物品Ｇの質量を計量する静止計量を実施する計量部４と、計量部４が静止計量を実施している際に、計量部４が動計量を実施している際とは異なる態様で、光及び音の少なくとも一方を発する報知部と、を備える。【選択図】図１
2018141748.tif 000002
【特許請求の範囲】
【請求項１】
物品を搬送する搬送部と、
前記搬送部が前記物品を搬送する際に、前記物品の搬送を停止させずに前記物品の質量を計量する第１計量、及び前記物品の搬送を停止させて前記物品の質量を計量する第２計量を実施する計量部と、
前記計量部が前記第２計量を実施している際に、前記計量部が前記第１計量を実施している際とは異なる態様で、光及び音の少なくとも一方を発する報知部と、を備える、計量装置。
【請求項２】
前記報知部は、光を発する報知灯を有し、
前記報知灯は、前記計量部が前記第２計量を実施している際に、前記計量部が前記第１計量を実施している際とは異なる色及び異なる明滅パターンの少なくとも一方の態様で、光を発する、請求項１に記載の計量装置。
【請求項３】
前記報知部は、前記計量部が計量した前記質量を表示する表示部を有し、
前記表示部は、前記計量部が前記第２計量を実施している際に、前記計量部が前記第１計量を実施している際とは異なる色及び異なる明滅パターンの少なくとも一方の態様で、光を発する、請求項１又は２に記載の計量装置。
【請求項４】
前記報知部は、入力操作を受け付ける入力部を有し、
前記入力部は、前記計量部が前記第２計量を実施している際に、前記計量部が前記第１計量を実施している際とは異なる色及び異なる明滅パターンの少なくとも一方の態様で、光を発する、請求項１〜３のいずれか一項に記載の計量装置。
【請求項５】
前記報知部は、前記搬送部に異常が生じた際に、前記計量部が前記第１計量及び前記第２計量のそれぞれを実施している際とは異なる態様で、光及び音の少なくとも一方を発する、請求項１〜４のいずれか一項に記載の計量装置。
【発明の詳細な説明】
【技術分野】
【０００１】
本発明は、計量装置に関する。
【背景技術】
【０００２】
物品を搬送する搬送部と、搬送部が物品を搬送する際に、物品の搬送を停止させずに物品の質量を計量する計量部と、を備える計量装置が知られている（例えば特許文献１参照）。
【先行技術文献】
【特許文献】
【０００３】
【特許文献１】特許５９６０９３９号公報
【発明の概要】
【発明が解決しようとする課題】
【０００４】
上述したような計量装置では、物品の質量をより精度よく計量するために、物品の搬送が一時的に停止させられて物品の質量が計量される場合がある（いわゆる静止計量）。しかし、そのような場合に、オペレータが、物品の搬送に異常が発生したと勘違いして、例えば計量装置に触れてしまうと、物品の質量を精度よく計量することができない。
【０００５】
そこで、本発明は、物品の搬送が停止させられて物品の質量が計量されていることをオペレータに直感的に認識させることができる計量装置を提供することを目的とする。
【課題を解決するための手段】
【０００６】
本発明の計量装置は、物品を搬送する搬送部と、搬送部が物品を搬送する際に、物品の搬送を停止させずに物品の質量を計量する第１計量、及び物品の搬送を停止させて物品の質量を計量する第２計量を実施する計量部と、計量部が第２計量を実施している際に、計量部が第１計量を実施している際とは異なる態様で、光及び音の少なくとも一方を発する報知部と、を備える。
【０００７】
この計量装置では、物品の搬送を停止させて物品の質量を計量する第２計量が実施されている際に、物品の搬送を停止させずに物品の質量を計量する第１計量が実施している際とは異なる態様で、光及び音の少なくとも一方が発せられる。これにより、オペレータは、例えばディスプレイ等の表示部に第２計量が実施されている旨が文字で表示される場合に比べ、第２計量が実施されていることを直感的に認識することができる。よって、この計量装置によれば、物品の搬送が停止させられて物品の質量が計量されていることをオペレータに直感的に認識させることができる。
【０００８】
本発明の計量装置では、報知部は、光を発する報知灯を有し、報知灯は、計量部が第２計量を実施している際に、計量部が第１計量を実施している際とは異なる色及び異なる明滅パターンの少なくとも一方の態様で、光を発してもよい。この構成によれば、物品の搬送が停止させられて物品の質量が計量されていることをより確実にオペレータに認識させることができる。
【０００９】
本発明の計量装置では、報知部は、計量部が計量した質量を表示する表示部を有し、表示部は、計量部が第２計量を実施している際に、計量部が第１計量を実施している際とは異なる色及び異なる明滅パターンの少なくとも一方の態様で、光を発してもよい。この構成によれば、計量部が計量した質量を表示する表示部を用いて、物品の搬送が停止させられて物品の質量が計量されていることをオペレータに直感的に認識させることができる。
【００１０】
本発明の計量装置では、報知部は、入力操作を受け付ける入力部を有し、入力部は、計量部が第２計量を実施している際に、計量部が第１計量を実施している際とは異なる色及び異なる明滅パターンの少なくとも一方の態様で、光を発してもよい。この構成によれば、入力操作を受け付ける入力部を用いて、物品の搬送が停止させられて物品の質量が計量されていることをオペレータに直感的に認識させることができる。
【００１１】
本発明の計量装置では、報知部は、搬送部に異常が生じた際に、計量部が第１計量及び第２計量のそれぞれを実施している際とは異なる態様で、光及び音の少なくとも一方を発してもよい。この構成によれば、搬送部に異常が生じていることをオペレータに直感的に認識させることができる。
【発明の効果】
【００１２】
本発明によれば、物品の搬送が停止させられて物品の質量が計量されていることをオペレータに直感的に認識させることができる。
【図面の簡単な説明】
【００１３】
【図１】一実施形態の計量装置の正面図である。
【図２】図１に示される計量装置において動計量が実施されている際の報知態様を示す図である。
【図３】図１に示される計量装置において静止計量が実施されている際の報知態様を示す図である。
【図４】図１に示される計量装置において静止計量が実施されている際の他の報知態様を示す図である。
【図５】図１に示される計量装置において搬送部に異常が生じた際の報知態様を示す図である。
【発明を実施するための形態】
【００１４】
以下、本発明の実施形態について、図面を参照して詳細に説明する。なお、各図において同一又は相当部分には同一符号を付し、重複する部分を省略する。
［計量装置の構成］
【００１５】
図１に示されるように、計量装置１は、搬送部２と、検知部３と、計量部４と、振分部５と、制御部６と、入力部７と、表示部８と、報知灯９と、スピーカ１０と、を備えている。計量装置１は、例えば、食品等の物品Ｇの生産ラインに設置されている。計量装置１は、物品Ｇを搬送方向Ａに沿って搬送しつつ物品Ｇの質量を計量し、物品Ｇの計量結果に応じて物品Ｇを振り分ける。
【００１６】
搬送部２は、搬送方向Ａに沿って物品Ｇを搬送する。搬送部２は、搬送方向Ａに沿って並設された搬送コンベア２１，２２，２３を有している。検知部３は、例えば光電センサであり、中央の搬送コンベア２２の上流端に設けられている。検知部３は、搬送部２によって搬送される物品Ｇを検知する。
【００１７】
計量部４は、中央の搬送コンベア２２に設けられている。計量部４は、搬送コンベア２２によって搬送される物品Ｇの質量を計量する（すなわち、質量検査を行う）。計量部４は、物品Ｇの搬送を停止させずに物品Ｇの質量を計量する動計量（第１計量）、及び物品Ｇの搬送を停止させて物品Ｇの質量を計量する静止計量（第２計量）を実施することができる。一例として、計量部４は、架台４１と、計量セル４２と、ＡＦＶ（Anti  Floor  Vibration）セル４３と、を有している。
【００１８】
計量セル４２は、搬送コンベア２２上に位置する物品Ｇの質量を計量する。計量セル４２は、起歪体４２ａ、可動剛体部４２ｂ及び固定剛体部４２ｃによって構成されている。起歪体４２ａは、可動剛体部４２ｂ及び固定剛体部４２ｃのそれぞれに接続されている。可動剛体部４２ｂは、搬送コンベア２２を支持している。固定剛体部４２ｃは、架台４１に固定されている。計量セル４２は、物品Ｇの質量に対応する計量信号を第１フィルタ部（図示省略）及び制御部６に出力する。第１フィルタ部は、計量セル４２から出力された計量信号にフィルタリング処理を施すことで計量信号からノイズを除去し、フィルタリング処理後の計量信号を制御部６に出力する。
【００１９】
ＡＦＶセル４３は、計量セル４２を含む計量部４の外乱振動（床Ｆから計量部４に伝わる振動、搬送コンベア２２の振動等）を検出する。ＡＦＶセル４３は、固定剛体部４２ｃに接続されている。ＡＦＶセル４３は、外乱振動に対応する振動信号を第２フィルタ部（図示省略）に出力する。第２フィルタ部は、ＡＦＶセル４３から出力された振動信号にフィルタリング処理を施すことで振動信号からノイズを除去し、フィルタリング処理後の振動信号を制御部６に出力する。制御部６では、計量セル４２から出力された計量信号、第１フィルタ部から出力された計量信号、及び第２フィルタ部から出力された振動信号に基づいて、外乱振動による影響等が計量信号からキャンセルされる。
【００２０】
振分部５は、例えばプッシャー式振分装置であり、搬送方向Ａにおける最下流側の搬送コンベア２３に設けられている。振分部５は、搬送方向Ａに交差する水平方向に進退可能なプッシャー５ａを有している。プッシャー５ａは、例えばエアシリンダ（図示省略）等によって駆動される。振分部５は、計量部４による物品Ｇの計量結果に応じてプッシャー５ａを進退させることで、搬送コンベア２３によって搬送される物品Ｇを振り分ける。一例として、計量部４によって計量された物品Ｇの質量が所定範囲外である場合には、振分部５は、搬送コンベア２３によって搬送される物品Ｇを搬送方向Ａに交差する水平方向に押すように、プッシャー５ａを進出させる。これにより、物品Ｇは、搬送コンベア２３上から排出される。一方、計量部４によって計量された物品Ｇの質量が所定範囲内である場合には、振分部５は、プッシャー５ａを退避させる。これにより、物品Ｇは、搬送コンベア２３によって搬送される。
【００２１】
制御部６は、計量装置１における各部の動作を制御する。制御部６は、検知部３による物品Ｇの検知をトリガとして、計量部４の質量検査のタイミング、及び振分部５の振分動作のタイミングを制御しつつ、計量部４の検査結果に基づいて振分部５の振分動作を制御する。制御部６は、プロセッサ、メモリ、ストレージ及び通信デバイス等を含むコンピュータ装置として構成されている。制御部６では、プロセッサが、メモリ等に読み込まれた所定のソフトウェア（プログラム）を実行し、メモリ及びストレージにおけるデータの読み出し及び書き込み、並びに、通信デバイスによる通信を制御することによって、制御部６の機能が実現される。
【００２２】
入力部７は、オペレータによる動作条件の入力等、オペレータによる各種の入力を受け付ける。入力部７は、ジョグダイヤル７ａ及び複数の入力キー７ｂを有している。ジョグダイヤル７ａ及び複数の入力キー７ｂの裏側には、バックライト（図示省略）が設けられている。入力部７は、計量装置１の運転状況等に応じて光を発する。表示部８は、計量部４によって計量された物品Ｇの質量等、各種の情報を表示する。なお、表示部８は、例えばタッチパネルとして構成されることで、入力部としての機能を有していてもよい。報知灯９は、計量装置１の運転状況等に応じて光を発する。報知灯９は、例えば、赤色、黄色及び緑色の光を発する。スピーカ１０は、計量装置１の運転状況等に応じて音を発する。入力部７、表示部８及び報知灯９は、計量装置１の運転状況等に応じて、光を発する報知部として機能する。スピーカ１０は、計量装置１の運転状況等に応じて、音を発する報知部として機能する。
［静止計量時の報知態様］
【００２３】
以下、入力部７、表示部８、報知灯９及びスピーカ１０の報知態様の一例を、図２〜図５を参照しつつ、説明する。なお、図２〜図５では、光の色の態様を説明するために、図中にハッチングが付されている場合がある。
【００２４】
計量装置１では、入力部７、表示部８及び報知灯９が、計量部４が静止計量を実施している際に、計量部４が動計量を実施している際とは異なる態様で、光を発する。また、計量装置１では、スピーカ１０が、計量部４が静止計量を実施している際に、計量部４が動計量を実施している際とは異なる態様で、音を発する。
【００２５】
入力部７、表示部８及び報知灯９が発する光の態様には、色の態様及び明滅パターンの態様が含まれる。明滅パターンは、光が発せられるか否かが予め定められたパターンである。明滅パターンの態様は、例えば、点灯させる態様、消灯させる態様及び明滅させる態様を含む。点灯させる態様は、光が発せられる状態が継続される態様である。消灯させる態様は、光が発せられない状態が継続される態様である。明滅させる態様は、光が発せられる状態と光が発せられない状態とが所定のパターンに従って繰り返される態様である。スピーカ１０が発する音の態様には、音色の態様及び音のパターンの態様が含まれる。
音色の態様は、音の高低、音の種類等を含む。音のパターンの態様は、音が発せられる状態が継続される態様、音が発せられない状態が継続される態様、及び、音が発せられる状態と音が発せられない状態とが所定のパターンに従って繰り返される態様を含む。
【００２６】
計量部４が動計量を実施している際における報知態様について説明する。図２に示されるように、入力部７の入力キー７ｂは、計量部４が動計量を実施している際に、点灯させる態様で白色の光を発する。表示部８は、計量部４によって計量された物品Ｇの質量を示す文字を、点灯させる態様で表示する。このとき、表示部８は、例えば表示部８の表示領域８ａの背景色が黒色の場合、当該文字を白色で表示する。つまり、表示部８は、計量部４が動計量を実施している際に、点灯させる態様で白色の光を発する。報知灯９は、計量部４が動計量を実施している際に、点灯させる態様で緑色の光を発する。スピーカ１０は、計量部４が動計量を実施している際に、「ピッピッ」とのビープ音を発する。
【００２７】
計量部４が静止計量を実施している際における報知態様について説明する。図３に示されるように、入力キー７ｂは、計量部４が静止計量を実施している際に、明滅させる態様で白色の光を発する。表示部８は、計量部４が静止計量を実施している際に、計量部４によって計量された物品Ｇの質量を示す文字を、点灯させる態様で水色で表示する。つまり、表示部８は、計量部４が静止計量を実施している際に、点灯させる態様で水色の光を発する。報知灯９は、計量部４が静止計量を実施している際に、明滅させる態様で緑色の光を発する。スピーカ１０は、計量部４が静止計量を実施している際に、「ピポッピポッ」とのビープ音を発する。
【００２８】
図２の例及び図３の例を対比すると、入力キー７ｂは、計量部４が動計量を実施している際には、点灯させる態様で白色の光を発するのに対し、計量部４が静止計量を実施している際には、明滅させる態様で白色の光を発する。したがって、入力キー７ｂは、計量部４が静止計量を実施している際に、計量部４が動計量を実施している際とは異なる明滅パターンの態様で、光を発する。
【００２９】
また、表示部８は、計量部４が動計量を実施している際には、点灯させる態様で白色の光を発するのに対し、計量部４が静止計量を実施している際には、点灯させる態様で水色の光を発する。したがって、表示部８は、計量部４が静止計量を実施している際に、計量部４が動計量を実施している際とは異なる色の態様で、光を発する。
【００３０】
また、報知灯９は、計量部４が動計量を実施している際には、点灯させる態様で緑色の光を発するのに対し、計量部４が静止計量を実施している際には、明滅させる態様で緑色の光を発する。したがって、報知灯９は、計量部４が静止計量を実施している際に、計量部４が動計量を実施している際とは異なる明滅パターンの態様で、光を発する。
【００３１】
また、スピーカ１０は、計量部４が動計量を実施している際には、「ピッピッ」とのビープ音を発するのに対し、計量部４が静止計量を実施している際には、「ピポッピポッ」とのビープ音を発する。したがって、スピーカ１０は、計量部４が静止計量を実施している際に、計量部４が動計量を実施している際とは異なる音色の態様で、音を発する。
【００３２】
計量部４が静止計量を実施している際における他の報知態様について説明する。図４に示されるように、入力キー７ｂは、計量部４が静止計量を実施している際に、点灯させる態様で水色の光を発する。表示部８は、計量部４が静止計量を実施している際に、計量部４によって計量された物品Ｇの質量を示す文字を、明滅させる態様で白色で表示する。つまり、表示部８は、計量部４が静止計量を実施している際に、明滅させる態様で白色の光を発する。報知灯９は、計量部４が静止計量を実施している際に、点灯させる態様で緑色及び黄色の光を発する。スピーカ１０は、計量部４が静止計量を実施している際に、「ピピピピ」とのビープ音を発する。
【００３３】
図２の例及び図４の例を対比すると、入力キー７ｂは、計量部４が動計量を実施している際には、点灯させる態様で白色の光を発するのに対し、計量部４が静止計量を実施している際には、点灯させる態様で水色の光を発する。したがって、入力キー７ｂは、計量部４が静止計量を実施している際に、計量部４が動計量を実施している際とは異なる色の態様で、光を発する。
【００３４】
また、表示部８は、計量部４が動計量を実施している際には、点灯させる態様で白色の光を発するのに対し、計量部４が静止計量を実施している際には、明滅させる態様で白色の光を発する。したがって、表示部８は、計量部４が静止計量を実施している際に、計量部４が動計量を実施している際とは異なる明滅パターンの態様で、光を発する。
【００３５】
また、報知灯９は、計量部４が動計量を実施している際には、点灯させる態様で緑色の光を発するのに対し、計量部４が静止計量を実施している際には、点灯させる態様で緑色及び黄色の光を発する。したがって、報知灯９は、計量部４が静止計量を実施している際に、計量部４が動計量を実施している際とは異なる色の態様で、光を発する。
【００３６】
また、スピーカ１０は、計量部４が動計量を実施している際には、「ピッピッ」とのビープ音を発するのに対し、計量部４が静止計量を実施している際には、「ピピピピ」とのビープ音を発する。したがって、スピーカ１０は、計量部４が静止計量を実施している際に、計量部４が動計量を実施している際とは異なる音のパターンの態様で、音を発する。
［搬送部の異常時の報知態様］
【００３７】
計量装置１では、入力部７、表示部８及び報知灯９が、搬送部２に異常が生じた際に、計量部４が第１計量及び第２計量のそれぞれを実施している際とは異なる態様で、光を発する。また、計量装置１では、スピーカ１０が、搬送部２に異常が生じた際に、計量部４が第１計量及び第２計量のそれぞれを実施している際とは異なる態様で、音を発する。
【００３８】
搬送部２に異常が生じた際における報知態様について説明する。図５に示されるように、入力キー７ｂは、搬送部２に異常が生じた際に、明滅させる態様で赤色の光を発する。表示部８は、搬送部２に異常が生じた際に、搬送部２に異常が生じたことを示す文字（例えば「コンベア異常」等）を、明滅させる態様で赤色で表示する。つまり、表示部８は、搬送部２に異常が生じた際に、明滅させる態様で赤色の光を発する。報知灯９は、搬送部２に異常が生じた際に、明滅させる態様で赤色の光を発する。スピーカ１０は、搬送部２に異常が生じた際に、「ビーッビーッ」とのビープ音を発する。
【００３９】
計量部４が動計量を実施している際を示す図２の例、計量部４が静止計量を実施している際を示す図３の例及び図４の例、並びに  搬送部２に異常が生じた際を示す図５の例を、それぞれ対比する。入力キー７ｂは、計量部４が動計量を実施している際に、点灯させる態様で白色の光を発する。入力キー７ｂは、計量部４が静止計量を実施している際に、明滅させる態様での白色の光、又は、点灯させる態様での水色の光を発する。これに対し、入力キー７ｂは、搬送部２に異常が生じた際に、明滅させる態様で赤色の光を発する。したがって、入力部７は、搬送部２に異常が生じた際に、計量部４が第１計量及び第２計量のそれぞれを実施している際とは異なる態様で、光を発する。
【００４０】
また、表示部８は、計量部４が動計量を実施している際に、点灯させる態様で白色の光を発する。表示部８は、計量部４が静止計量を実施している際に、点灯させる態様での水色の光、又は、明滅させる態様での白色の光を発する。これに対し、表示部８は、搬送部２に異常が生じた際に、明滅させる態様で赤色の光を発する。したがって、表示部８は、搬送部２に異常が生じた際に、計量部４が第１計量及び第２計量のそれぞれを実施している際とは異なる態様で、光を発する。
【００４１】
また、報知灯９は、計量部４が動計量を実施している際に、点灯させる態様で緑色の光を発する。報知灯９は、計量部４が静止計量を実施している際に、明滅させる態様での緑色の光、又は、点灯させる態様での緑色及び黄色の光を発する。これに対し、報知灯９は、搬送部２に異常が生じた際に、明滅させる態様で赤色の光を発する。したがって、報知灯９は、搬送部２に異常が生じた際に、計量部４が第１計量及び第２計量のそれぞれを実施している際とは異なる態様で、光を発する。
【００４２】
また、スピーカ１０は、計量部４が動計量を実施している際に、「ピッピッ」とのビープ音を発する。スピーカ１０は、計量部４が静止計量を実施している際に、「ピポッピポッ」とのビープ音、又は「ピピピピ」とのビープ音を発する。これに対し、スピーカ１０は、搬送部２に異常が生じた際に、「ビーッビーッ」とのビープ音を発する。したがって、スピーカ１０は、搬送部２に異常が生じた際に、計量部４が第１計量及び第２計量のそれぞれを実施している際とは異なる態様で、音を発する。
［作用及び効果］
【００４３】
以上説明したように、計量装置１では、入力部７、表示部８及び報知灯９が、計量部４が静止計量を実施している際に、計量部４が動計量を実施している際とは異なる態様で、光を発する。また、計量装置１では、スピーカ１０が、計量部４が静止計量を実施している際に、計量部４が動計量を実施している際とは異なる態様で、音を発する。これにより、オペレータは、例えば表示部８に静止計量が実施されている旨が文字で表示される場合に比べ、静止計量が実施されていることを直感的に認識することができる。よって、計量装置１によれば、物品Ｇの搬送が停止させられて物品Ｇの質量が計量されていることをオペレータに直感的に認識させることができる。
【００４４】
計量装置１では、光を発する報知灯９が報知部として機能する。報知灯９は、計量部４が静止計量を実施している際に、計量部４が動計量を実施している際とは異なる色又は異なる明滅パターンの態様で、光を発する。これにより、物品Ｇの搬送が停止させられて物品Ｇの質量が計量されていることをより確実にオペレータに認識させることができる。
【００４５】
計量装置１では、計量部４が計量した質量を表示する表示部８が報知部として機能する。表示部８は、計量部４が静止計量を実施している際に、計量部４が動計量を実施している際とは異なる色又は異なる明滅パターンの態様で、光を発する。これにより、計量部４が計量した質量を表示する表示部８を用いて、物品Ｇの搬送が停止させられて物品Ｇの質量が計量されていることをオペレータに直感的に認識させることができる。
【００４６】
計量装置１では、入力操作を受け付ける入力キー７ｂが報知部として機能する。入力キー７ｂは、計量部４が静止計量を実施している際に、計量部４が動計量を実施している際とは異なる色又は異なる明滅パターンの態様で、光を発する。これにより、入力操作を受け付ける入力部７を用いて、物品Ｇの搬送が停止させられて物品Ｇの質量が計量されていることをオペレータに直感的に認識させることができる。
【００４７】
計量装置１では、入力部７、表示部８及び報知灯９が、搬送部２に異常が生じた際に、計量部４が第１計量及び第２計量のそれぞれを実施している際とは異なる態様で、光を発する。また、計量装置１では、スピーカ１０が、搬送部２に異常が生じた際に、計量部４が第１計量及び第２計量のそれぞれを実施している際とは異なる態様で、音を発する。
これにより、搬送部２に異常が生じていることをオペレータに直感的に認識させることができる。
［変形例］
【００４８】
本発明は、上記実施形態に限定されるものではない。
【００４９】
上記実施形態では、計量部４が静止計量を実施している際に、計量部４が動計量を実施している際とは異なる態様で、入力部７、表示部８及び報知灯９が光を発すると共に、スピーカ１０が音を発した（つまり、報知部が光及び音を発した）が、これに限定されない。例えば、計量部４が静止計量を実施している際に、計量部４が動計量を実施している際とは異なる態様で、表示部８のみが光を発してもよいし、スピーカ１０のみが音を発してもよい。要は、報知部が、計量部が第２計量を実施している際に、計量部が第１計量を実施している際とは異なる態様で、光及び音の少なくとも一方を発すればよい。
【００５０】
計量部４が静止計量を実施している際に、入力部７が発する光の色の態様及び明滅パターンの態様は、上記実施形態の例に限定されない。例えば、入力キー７ｂは、計量部４が静止計量を実施している際に、計量部４が動計量を実施している際とは異なる色及び異なる明滅パターンの態様で、光を発してもよい。また、入力キー７ｂは、計量部４が動計量を実施している際に、光を発せず、計量部４が静止計量を実施している際に、光を発してもよい。要は、入力部７が、計量部４が第２計量を実施している際に、計量部４が第１計量を実施している際とは異なる色及び異なる明滅パターンの少なくとも一方の態様で、光を発すればよい。
【００５１】
計量部４が静止計量を実施している際に、表示部８が発する光の色の態様及び明滅パターンの態様は、上記実施形態の例に限定されない。例えば、表示部８は、計量部４が静止計量を実施している際に、計量部４が動計量を実施している際とは異なる色及び異なる明滅パターンの態様で、光を発してもよい。また、表示部８は、計量部４が動計量を実施している際に、光を発せず、計量部４が静止計量を実施している際に、光を発してもよい。要は、表示部８が、計量部４が第２計量を実施している際に、計量部４が第１計量を実施している際とは異なる色及び異なる明滅パターンの少なくとも一方の態様で、光を発すればよい。
【００５２】
計量部４が静止計量を実施している際に、報知灯９が発する光の色の態様及び明滅パターンの態様は、上記実施形態の例に限定されない。例えば、報知灯９は、計量部４が静止計量を実施している際に、計量部４が動計量を実施している際とは異なる色及び異なる明滅パターンの態様で、光を発してもよい。また、報知灯９は、計量部４が動計量を実施している際に、光を発せず、計量部４が静止計量を実施している際に、光を発してもよい。要は、報知灯９が、計量部４が第２計量を実施している際に、計量部４が第１計量を実施している際とは異なる色及び異なる明滅パターンの少なくとも一方の態様で、光を発すればよい。
【００５３】
計量部４が静止計量を実施している際に、スピーカ１０が発する音の音色の態様及び音のパターンの態様は、上記実施形態の例に限定されない。例えば、スピーカ１０は、計量部４が静止計量を実施している際に、計量部４が動計量を実施している際とは異なる音色及び異なる音のパターンの態様で、音を発してもよい。また、スピーカ１０は、計量部４が動計量を実施している際に、音を発せず、計量部４が静止計量を実施している際に、音を発してもよい。要は、スピーカ１０が、計量部４が第２計量を実施している際に、計量部４が第１計量を実施している際とは異なる態様で、音を発すればよい。
【００５４】
上記実施形態では、搬送部２に異常が生じた際に、計量部４が第１計量及び第２計量のそれぞれを実施している際とは異なる態様で、入力部７、表示部８及び報知灯９が光を発すると共に、スピーカ１０が音を発した（つまり、報知部が光及び音を発した）が、これに限定されない。例えば、搬送部２に異常が生じた際に、計量部４が第１計量及び第２計量のそれぞれを実施している際とは異なる態様で、表示部８のみが光を発してもよいし、スピーカ１０のみが音を発してもよい。要は、報知部が、搬送部２に異常が生じた際に、計量部４が第１計量及び第２計量のそれぞれを実施している際とは異なる態様で、光及び音の少なくとも一方を発すればよい。
【００５５】
上記実施形態では、振分部５は、プッシャー式振分装置であったが、エアジェット式振分装置であってもよい。この場合、一例として、計量部４によって計量された物品Ｇの質量が所定範囲外である場合には、振分部５は、搬送方向Ａにおける物品Ｇの所定位置にエアを噴射する。これにより、物品Ｇは、搬送コンベア２３上から排出される。一方、計量部４によって計量された物品Ｇの質量が所定範囲内である場合には、振分部５は、エアを噴射しない。これにより、物品Ｇは、搬送コンベア２３によって搬送される。
【００５６】
表示部８は、表示部８に表示された文字を介して光を発したが、例えば表示部８の表示領域８ａを介して光を発してもよい。
【００５７】
スピーカ１０は、計量部４が静止計量を実施している際に、ビープ音を発したが、例えば「静止計量中です」等の音声を発してもよい。
【００５８】
上記実施形態は、入力部７の入力キー７ｂ、表示部８、報知灯９、及びスピーカ１０が報知部として機能したが、これに限定されない。例えば、入力部７のジョグダイヤル７ａが報知部として機能してもよい。要は、光及び音の少なくとも一方をオペレータが直感的に認識し得るものであれば、報知部として機能させることができる。
【符号の説明】
【００５９】
１…計量装置、２…搬送部、４…計量部、７…入力部（報知部）、８…表示部（報知部）、９…報知灯（報知部）、１０…スピーカ（報知部）、Ｇ…物品。
【図１】
2018141748.tif 000003
【図２】
2018141748.tif 000004
【図３】
2018141748.tif 000005
【図４】
2018141748.tif 000006
【図５】
2018141748.tif 000007